(57)【要約】【課題】スライド構造を用いて、カバーを本体ケースに取り付けることができる監視カメラ及び監視カメラのカバー取り付け方法を提供する。【解決手段】監視カメラは、本体ケース２の開口縁部における後ろ側半円部分に配置される外壁２ａと、本体ケース２の開口縁部における前側半円部分で、且つ、外壁２ａよりも本体ケース２の内側に配置される目隠しリブ２ｂと、カバー１の開口縁部における前側半円部分に配置される外壁１ａと、カバー１の開口縁部における後ろ側半円部分で、且つ、外壁１ａよりもカバー１の内側に配置される目隠しリブ１ｂとを備えている。外壁１ａは、カバー１の前方側から後方側へのスライドに伴って、目隠しリブ２ｂに対して前方側から嵌合し、目隠しリブ１ｂは、カバー１の前方側から後方側へのスライドに伴って、外壁２ａに対して前方側から嵌合する。【選択図】図１
2020085922.tif 000002
【特許請求の範囲】
【請求項１】
カメラユニットを保持する本体ケースと、前記カメラユニットの周囲を覆うように前記本体ケースに取り付けられるカバーとを備えた監視カメラであって、
前記本体ケースのケース開口縁部における後ろ側半円部分に配置されるケース外壁と、
前記ケース開口縁部における前側半円部分で、且つ、前記ケース外壁よりも前記本体ケースの内側に配置されるケース目隠しリブと、
前記カバーのカバー開口縁部における前側半円部分に配置されるカバー外壁と、
前記カバー開口縁部における後ろ側半円部分で、且つ、前記カバー外壁よりも前記カバーの内側に配置されるカバー目隠しリブとを設け、
前記カバー外壁は、前記カバーの前方側から後方側へのスライドに伴って、前記ケース目隠しリブに対して前方側から嵌合し、
前記カバー目隠しリブは、前記カバーの前方側から後方側へのスライドに伴って、前記ケース外壁に対して前方側から嵌合する
ことを特徴とする監視カメラ。
【請求項２】
前記ケース開口縁部に設けられ、前記ケース外壁と前記ケース目隠しリブとの間に形成される隙間部と、
前記カバー開口縁部に設けられ、前記カバー外壁と前記カバー目隠しリブとを接続する接続部とを備え、
前記接続部は、前記隙間部内に挿入され、前記カバーのスライドに伴って、当該隙間部内を前方側から後方側に向けてスライドする
ことを特徴とする請求項１記載の監視カメラ。
【請求項３】
前記ケース開口縁部に設けられ、前記ケース外壁と前記ケース目隠しリブとを接続する接続部と、
前記カバー開口縁部に設けられ、前記カバー外壁と前記カバー目隠しリブとの間に形成される隙間部とを備え、
前記接続部は、前記隙間部内に挿入され、前記カバーのスライドに伴って、当該隙間部内を前方側から後方側に向けてスライドする
ことを特徴とする請求項１記載の監視カメラ。
【請求項４】
前記隙間部内における内側に配置されるリブを備える
ことを特徴とする請求項２または請求項３記載の監視カメラ。
【請求項５】
前記本体ケースと前記カバーとの間に設けられ、前記カバーのスライド方向を規定するスライド方向規定手段を備える
ことを特徴とする請求項１から請求項４のうちのいずれか１項記載の監視カメラ。
【請求項６】
前記本体ケースと前記カバーとの間に設けられ、前記カバーにおける左右方向の位置ずれを規制する位置ずれ規制手段を備える
ことを特徴とする請求項１から請求項５のうちのいずれか１項記載の監視カメラ。
【請求項７】
前記カバーが前記本体ケースに嵌合したときに、前記カバーのスライドを防止するスライド防止手段を備える
ことを特徴とする請求項１から請求項６のうちのいずれか１項記載の監視カメラ。
【請求項８】
カメラユニットを保持する本体ケースに対して、前記カメラユニットの周囲を覆うようにカバーを取り付けるようにした監視カメラのカバー取り付け方法であって、
前記本体ケースのケース開口縁部における後ろ側半円部分に配置されるケース外壁と、
前記ケース開口縁部における前側半円部分で、且つ、前記ケース外壁よりも前記本体ケースの内側に配置されるケース目隠しリブと、
前記カバーのカバー開口縁部における前側半円部分に配置されるカバー外壁と、
前記カバー開口縁部における後ろ側半円部分で、且つ、前記カバー外壁よりも前記カバーの内側に配置されるカバー目隠しリブとを設け、
前記本体ケースに対して、前記カバーを前方側から後方側に向けてスライドさせることにより、前記カバー外壁を前方側から前記ケース目隠しリブに嵌させ、前記カバー目隠しリブを前方側から前記ケース外壁に嵌合させる
ことを特徴とする監視カメラのカバー取り付け方法。
【発明の詳細な説明】
【技術分野】
【０００１】
この発明は、監視カメラのカバー開閉構造及びカバー取り付け方法に関する。
【背景技術】
【０００２】
従来、天井及び壁面等の高所に設置して使用されるドーム型の監視カメラが提供されている。この監視カメラは、カメラユニットを保持する本体ケースと、カメラユニットを保護するカバーとを備えており、カバーを本体ケースに被せて取り付けるようにしている。また、監視カメラは、カメラユニット等のメンテナンス作業を必要としているため、カバーは、本体ケースに対して開閉可能に支持されている。そして、このような、従来の監視カメラとしては、例えば、特許文献１に開示されている。
【先行技術文献】
【特許文献】
【０００３】
【特許文献１】特開２００４−１５８７８３号公報
【発明の概要】
【発明が解決しようとする課題】
【０００４】
上記従来の監視カメラは、カバーを本体ケースに対して開閉するためのカバー開閉構造として、ヒンジ構造を備えている。これにより、カバーは、ヒンジ構造の回転軸を回転中心として回転することにより、開閉可能となっている。
【０００５】
しかしながら、上記従来の監視カメラは、カバーの回転軌道上に内蔵物が存在すると、当該カバーを開閉させることができないため、カバーを必要以上に大きくしなければならなかった。このように、ドーム型の監視カメラは、カバー開閉構造にヒンジ構造を採用すると、大型化を招くおそれがある。また、ドーム型の監視カメラは、カバー開閉時に回転軌道上の空間を空けておく必要があり、当該監視カメラ設置に必要な空間が大きくなる問題があった。
【０００６】
この発明は、上記のような課題を解決するためになされたもので、スライド構造を用いて、カバーを本体ケースに取り付けることができる監視カメラ及び監視カメラのカバー取り付け方法を提供することを目的とする。
【課題を解決するための手段】
【０００７】
この発明に係る監視カメラは、カメラユニットを保持する本体ケースと、カメラユニットの周囲を覆うように本体ケースに取り付けられるカバーとを備えた監視カメラであって、本体ケースのケース開口縁部における後ろ側半円部分に配置されるケース外壁と、ケース開口縁部における前側半円部分で、且つ、ケース外壁よりも本体ケースの内側に配置されるケース目隠しリブと、カバーのカバー開口縁部における前側半円部分に配置されるカバー外壁と、カバー開口縁部における後ろ側半円部分で、且つ、カバー外壁よりもカバーの内側に配置されるカバー目隠しリブとを設け、カバー外壁は、カバーの前方側から後方側へのスライドに伴って、ケース目隠しリブに対して前方側から嵌合し、カバー目隠しリブは、カバーの前方側から後方側へのスライドに伴って、ケース外壁に対して前方側から嵌合することを特徴とするものである。
【０００８】
この発明に係る監視カメラのカバー取り付け方法は、カメラユニットを保持する本体ケースに対して、カメラユニットの周囲を覆うようにカバーを取り付けるようにした監視カメラのカバー取り付け方法であって、本体ケースのケース開口縁部における後ろ側半円部分に配置されるケース外壁と、ケース開口縁部における前側半円部分で、且つ、ケース外壁よりも本体ケースの内側に配置されるケース目隠しリブと、カバーのカバー開口縁部における前側半円部分に配置されるカバー外壁と、カバー開口縁部における後ろ側半円部分で、且つ、カバー外壁よりもカバーの内側に配置されるカバー目隠しリブとを設け、本体ケースに対して、カバーを前方側から後方側に向けてスライドさせることにより、カバー外壁を前方側からケース目隠しリブに嵌させ、カバー目隠しリブを前方側からケース外壁に嵌合させることを特徴とするものである。
【発明の効果】
【０００９】
この発明によれば、スライド構造を用いて、カバーを本体ケースに取り付けることができる。
【図面の簡単な説明】
【００１０】
【図１】実施の形態１に係る監視カメラの全体構成図である。図１Ａは、実施の形態１に係る監視カメラの外観斜視図である。図１Ｂは実施の形態１に係る監視カメラの分解斜視図である。
【図２】カバーを本体ケースに組み合わせるときの動作を示した図である。図２Ａはカバーを本体ケースに組み合わせる直前の状態を示した斜視図である。図２Ｂは図２Ａの要部拡大図である。
【図３】カバーを示した図である。図３Ａはカバーの内側構造を示した平面図である。図３Ｂは図３Ａの要部拡大図である。
【図４】本体ケースの開口縁部とカバーの開口縁部との間の嵌合構造を示した横断面図である。
【図５】カバーの内側構造を示した斜視図である。
【図６】本体ケースの内側構造を示した斜視図である。
【図７】カバーを本体ケースに仮固定するときの動作を示した図である。図７Ａはカバーを本体ケースに仮固定する前の状態を示した縦断面図である。図７Ｂはカバーを本体ケースに仮固定した後の状態を示した縦断面図である。
【図８】実施の形態２に係る監視カメラにおける本体ケースの部分斜視図である。
【図９】実施の形態２に係る監視カメラにおける本体ケースの開口縁部とカバーの開口縁部との間の嵌合構造を示した横断面図である。
【発明を実施するための形態】
【００１１】
以下、この発明の実施の形態について図面を参照しながら詳細に説明する。
【００１２】
実施の形態１．
実施の形態１に係る監視カメラについて、図１から図７を用いて説明する。
【００１３】
先ず、実施の形態１に係る監視カメラの全体構成について、図１を用いて説明する。図１Ａは、実施の形態１に係る監視カメラの外観斜視図である。図１Ｂは、実施の形態１に係る監視カメラの分解斜視図である。
【００１４】
実施の形態１に係る監視カメラは、ドーム型の監視カメラであって、カバー１、本体ケース２、及び、カメラユニット３を備えている。
【００１５】
本体ケース２は、外形が円形状をなしており、例えば、天井に取り付けられている。カメラユニット３は、撮像装置及びレンズ等を有しており、本体ケース２内に保持されている。そして、カバー１は、ドーム状をなしており、カメラユニット３の周囲を覆うように、本体ケース２に取り付けられている。
【００１６】
また、カバー１は、導光部１ｑを有している。この導光部１ｑは、カバー１の前方から取り込んだ光を透過して、カメラユニット３に向けて導くものであり、カバー１の前面に設けられている。これにより、導光部１ｑの材質は、カメラユニット３が検知可能となる周波数帯の光を透過する材質となっている。このとき、カメラユニット３が検知可能となる周波数帯の光とは、例えば、可視光線及び赤外線等である。
【００１７】
ここで、監視カメラの前方とは、カメラユニット３が撮影する方向である。これに対して、監視カメラの後方とは、カメラユニット３が撮影する方向の逆方向である。また、監視カメラの上下方向とは、カバー１と本体ケース２とを組み合わせる方向である。更に、監視カメラの左右方向は、監視カメラの幅方向であって、上下方向及び前後方向と直交する方向である。
【００１８】
そして、実施の形態１に係る監視カメラは、カメラユニット３を保持する本体ケース２に対して、カバー１を上下方向において組み合わせた後、更に、カバー１を前方側から後方側に向けてスライドさせて、本体ケース２に嵌合させることにより、当該カバー１を本体ケース２に取り付けるようにしたものである。
【００１９】
次に、カバー１及び本体ケース２の各構造について、図２から図７を用いて説明する。図２Ａは、カバーを本体ケースに組み合わせる直前の状態を示した斜視図である。図２Ｂは、図２Ａの要部拡大図である。図３Ａは、カバーの内側構造を示した平面図である。図３Ｂは、図３Ａの要部拡大図である。図４は、本体ケースの開口縁部とカバーの開口縁部との間の嵌合構造を示した横断面図である。図５は、カバーの内側構造を示した斜視図である。図６は、本体ケースの内側構造を示した斜視図である。図７Ａは、カバーを本体ケースに仮固定する前の状態を示した縦断面図である。図７Ｂは、カバーを本体ケースに仮固定した後の状態を示した縦断面図である。
【００２０】
カバー１の開口縁部と本体ケース２の開口縁部との間の嵌合構造について、図２から図６を用いて説明する。
【００２１】
カバー１は、そのカバー開口縁部（以下、単に開口縁部と称す）に、カバー外壁（以下、単に外壁と称す）１ａ、カバー目隠しリブ（以下、単に目隠しリブと称す）１ｂ、及び、接続部１ｃを有している。
【００２２】
外壁１ａは、カバー１の開口縁部の周方向に沿って設けられており、その開口縁部における前側半円部分に配置されている。目隠しリブ１ｂは、カバー１の開口縁部の周方向に沿って設けられており、その開口縁部における後ろ側半円部分に配置されている。更に、目隠しリブ１ｂは、外壁１ａよりもカバー１の内側に配置されている。このように、外壁１ａ及び目隠しリブ１ｂは、半円状をなしている。
【００２３】
接続部１ｃは、カバー１の開口縁部における左右両側部に設けられている。この接続部１ｃは、外壁１ａの一端と目隠しリブ１ｂの一端とを接続すると共に、外壁１ａの他端と目隠しリブ１ｂの他端とを接続している。従って、外壁１ａ、目隠しリブ１ｂ、及び、接続部１ｃは、カバー１の開口縁部の周方向において、連続的に形成されており、接続部１ｃは、外壁１ａと目隠しリブ１ｂとの間の段差を構成している。
【００２４】
これに対して、本体ケース２は、そのケース開口縁部（以下、単に開口縁部と称す）に、ケース外壁（以下、単に外壁と称す）２ａ、ケース目隠しリブ（以下、単に目隠しリブと称す）２ｂ、及び、切欠き２ｃを有している。
【００２５】
外壁２ａは、本体ケース２の開口縁部の周方向に沿って設けられており、その開口縁部における後ろ側半円部分に配置されている。目隠しリブ２ｂは、本体ケース２の開口縁部の周方向に沿って設けられており、その開口縁部における前側半円部分に配置されている。更に、目隠しリブ２ｂは、外壁２ａよりも本体ケース２の内側に配置されている。このように、外壁２ａ及び目隠しリブ２ｂは、半円状をなしている。
【００２６】
切欠き２ｃは、本体ケース２に開口縁部における左右両側部に設けられている。この切欠き２ｃは、外壁２ａの一端と目隠しリブ２ｂの一端との間に形成されると共に、外壁２ａの他端と目隠しリブ２ｂの他端との間に形成されている。従って、外壁２ａ、目隠しリブ２ｂ、及び、切欠き２ｃは、本体ケース２の開口縁部の周方向において、連続的に形成されており、切欠き２ｃは、外壁２ａと目隠しリブ２ｂとの間の隙間部を構成している。
【００２７】
そして、カバー１の外壁１ａは、目隠しリブ２ｂよりも監視カメラの外周側に配置されており、カバー１の前方側から後方側へのスライドに伴って、目隠しリブ２ｂに対して前方側から嵌合可能となっている。また、カバー１の目隠しリブ１ｂは、外壁２ａよりも監視カメラの内周側に配置されており、カバー１の前方側から後方側へのスライドに伴って、外壁２ａに対して前方側から嵌合可能となっている。
【００２８】
更に、接続部１ｃは、切欠き２ｃ内に挿入されており、上述したカバー１のスライドに伴って、当該切欠き２ｃ内を前方側から後方側に向けてスライドする。即ち、カバー１のスライド量は、切欠き２ｃの長さに相当しており、極少量となっている。このように、接続部１ｃは、切欠き２ｃ内をスライドすることにより、カバー１と本体ケース２との間における左右両側部同士の干渉を防止することができる。
【００２９】
カバー１の内面と本体ケース２の内面との間の嵌合構造について、図５及び図６を用いて説明する。
【００３０】
カバー１は、嵌合凹部１ｄ，１ｅ，１ｆ及びスライドガイド１ｇを有している。これに対して、本体ケース２は、嵌合突起２ｄ，２ｅ，２ｆ及びスライドガイド用リブ２ｇを有している。なお、スライドガイド１ｇ及びスライドガイド用リブ２ｇは、スライド方向規定手段を構成するものである。
【００３１】
嵌合凹部１ｄ，１ｅ，１ｆと嵌合突起２ｄ，２ｅ，２ｆとは、前後方向において、それぞれ嵌合可能となっている。即ち、嵌合凹部１ｄ，１ｅ，１ｆは、嵌合突起２ｄ，２ｅ，２ｆに対して前方側から嵌合可能となっている。
【００３２】
スライドガイド１ｇとスライドガイド用リブ２ｇとは、上下方向において噛み合い可能となっている。スライドガイド用リブ２ｇは、前後方向に延びるように設けられている。スライドガイド１ｇは、スライドガイド用リブ２ｇと噛み合いつつ、当該スライドガイド用リブ２ｇに沿って、前後方向にスライド可能となっている。
【００３３】
本体ケース２のカバー１に対する位置決め構造について、図５及び図６を用いて説明する。
【００３４】
カバー１は、位置決め部１ｎ及び左右一対の位置決め部１ｐを有している。これに対して、本体ケース２は、左右一対の位置決め用リブ２ｎ，２ｐを有している。なお、位置決め部１ｎ，１ｐ及び位置決め用リブ２ｎ，２ｐは、位置ずれ規制手段を構成するものである。
【００３５】
位置決め部１ｎは、位置決め用リブ２ｎ間に挿入可能となっている。位置決め用リブ２ｎは、その間に挿入された位置決め部１ｎを左右方向両側から挟み込むように設けられているため、位置決め部１ｎにおける左右方向の位置ずれを規制することができる。
【００３６】
位置決め部１ｐは、位置決め用リブ２ｐの左右方向外側に挿入可能となっている。位置決め用リブ２ｐは、その位置決め部１ｐ間に設けられているため、位置決め部１ｐにおける左右方向の位置ずれを規制することができる。
【００３７】
従って、本体ケース２は、カバー１が組み合わされたとき、即ち、カバー１が嵌合する前に、当該カバー１を左右方向において位置決めすることができる。
【００３８】
本体ケース２のカバー１に対する固定構造について、図５から図７を用いて説明する。
【００３９】
カバー１は、固定用通し孔１ｈ及び仮固定用リブ１ｍを有している。これに対して、本体ケース２は、固定用埋め込みナット２ｈ及び仮固定用リブ２ｍを有している。
【００４０】
固定用通し孔１ｈは、カバー１を上下方向に貫通するばか孔である。固定用埋め込みナット２ｈは、本体ケース２の内面に埋め込まれている。固定用通し孔１ｈと固定用埋め込みナット２ｈとは、上下方向において、同軸上で対接可能となっている。そして、ねじ４は、固定用通し孔１ｈと固定用埋め込みナット２ｈとが同軸上で対接しているときに、カバー１の外面側から固定用通し孔１ｈ及び固定用埋め込みナット２ｈ内に締め付けられる。これにより、カバー１は、前後方向のスライドが規制され、本体ケース２に対して固定されたことになる。なお、固定用通し孔１ｈ、固定用埋め込みナット２ｈ、及び、ねじ４は、スライド防止手段を構成するものである。
【００４１】
仮固定用リブ１ｍ，２ｍは、前後方向に延びるように設けられており、上下方向において当接可能となっている。仮固定用リブ１ｍは、カバー１の前方側から後方側へのスライドに伴って、仮固定用リブ２ｍに着座し、当該仮固定用リブ２ｍに引っ掛かる。これにより、仮固定用リブ１ｍは、前方側へのスライドが規制され、仮固定用リブ２ｍとの間で、仮固定状態となる。このように、仮固定用リブ１ｍ，２ｍが仮固定状態になると、固定用通し孔１ｈと固定用埋め込みナット２ｈとは、同軸上で対接することになり、カバー１は、本体ケース２に対して嵌合する。
【００４２】
カバー１及び本体ケース２の位置表示構造について、図２を用いて説明する。
【００４３】
カバー１は、組み合わせ位置表示用突起１ｉ及びスライド位置表示用突起１ｊを有している。これに対して、本体ケース２は、嵌合位置表示用突起２ｉを有している。
【００４４】
組み合わせ位置表示用突起１ｉ及びスライド位置表示用突起１ｊは、カバー１の外周面における目隠しリブ２ｂに対応した位置において、後ろ側から前側に向けて順に設けられている。組み合わせ位置表示用突起１ｉは、カバー１を本体ケース２に組み合わせるときに、カバー１の本体ケースに対する前後方向位置を示すものである。カバー１を本体ケース２に組み合わせる場合には、組み合わせ位置表示用突起１ｉは、嵌合位置表示用突起２ｉよりも前方側に位置していれば良く、切欠き２ｃに対向した位置に配置されれば好適である。スライド位置表示用突起１ｊは、本体ケース２に組み合わされたカバー１を後方側に向けてスライドさせたときに、当該カバー１のスライド位置を示すものである。
【００４５】
嵌合位置表示用突起２ｉは、外壁２ａの一端及び他端に設けられており、切欠き２ｃよりも後方側に位置している。この嵌合位置表示用突起２ｉは、本体ケース２に組み合わされたカバー１を後方側に向けてスライドさせて、そのスライド位置表示用突起１ｊと合致したときに、カバー１が本体ケース２に嵌合したことを示すものである。
【００４６】
また、組み合わせ位置表示用突起１ｉとスライド位置表示用突起１ｊとは、異なった形状をなしており、スライド位置表示用突起１ｊと嵌合位置表示用突起２ｉとは、同じ形状をなしている。このように、実施の形態１に係る監視カメラは、スライド位置表示用突起１ｊの形状と嵌合位置表示用突起２ｉの形状とを同じ形状にすることにより、ユーザに対して、カバー１を本体ケース２に嵌合させるためのスライド方向を、容易に判別させることができる。
【００４７】
次に、カバー１を本体ケース２に対して取り付けるときのカバー取り付け方法について説明する。
【００４８】
先ず、カバー１は、組み合わせ位置表示用突起１ｉが嵌合位置表示用突起２ｉよりも前方側に位置するように、カメラユニット３を保持する本体ケース２に対して、下方から組み合わされる。これにより、外壁１ａは、目隠しリブ２ｂよりも前方側に配置される。目隠しリブ１ｂは、外壁２ａよりも前方側に配置される。接続部１ｃは、切欠き２ｃ内に挿入される。また、位置決め部１ｎは、位置決め用リブ２ｎ間に挿入され、位置決め部１ｐは、位置決め用リブ２ｐの左右方向外側に挿入される。この結果、カバー１は、本体ケース２に対して、左右方向において位置決めされる。更に、スライドガイド１ｇは、スライドガイド用リブ２ｇと噛み合う。
【００４９】
次いで、カバー１は、スライド位置表示用突起１ｊが嵌合位置表示用突起２ｉに到達するまで、後方側に向けてスライドされる。これにより、接続部１ｃは、切欠き２ｃ内を後方側に向けてスライドする。また、スライドガイド１ｇは、スライドガイド用リブ２ｇに沿って後方側に向けてスライドする。この結果、カバー１は、後方側に向けてスムーズにスライドする。更に、仮固定用リブ１ｍは、仮固定用リブ２ｍに引っ掛かる。この結果、仮固定用リブ１ｍは、前方側へのスライドが規制され、仮固定用リブ２ｍとの間で、仮固定状態となる。
【００５０】
そして、カバー１は、スライド位置表示用突起１ｊが嵌合位置表示用突起２ｉに到達すると、本体ケース２に対して嵌合する。即ち、外壁１ａは目隠しリブ２ｂと嵌合し、目隠しリブ１ｂは外壁２ａと嵌合する。また、嵌合凹部１ｄ，１ｅ，１ｆは、嵌合突起２ｄ，２ｅ，２ｆと嵌合する。更に、固定用通し孔１ｈは、固定用埋め込みナット２ｈと対接する。また更に、カメラユニット３のレンズは、導光部１ｑと前後方向において対向する。
【００５１】
続いて、カバー１は、本体ケース２に対して、ねじ４を用いて締め付け固定される。これにより、カバー１は、本体ケース２に対して、取り付けられたことになる。
【００５２】
但し、実施の形態１に係る監視カメラは、カバー１に接続部１ｃを設け、本体ケース２に切欠き２ｃを設ける構成としているが、カバー１に切欠きを設け、本体ケース２に接続部を設ける構成としても構わない。
【００５３】
実施の形態１に係る監視カメラは、カバー１に嵌合凹部１ｄ，１ｅ，１ｆを設け、本体ケース２に嵌合突起２ｄ，２ｅ，２ｆを設ける構成としているが、カバー１に嵌合突起を設け、本体ケース２に嵌合凹部を設ける構成としても構わない。
【００５４】
実施の形態１に係る監視カメラは、カバー１にスライドガイド１ｇを設け、本体ケース２にスライドガイド用リブ２ｇを設ける構成としているが、カバー１にスライドガイド用リブを設け、本体ケース２にスライドガイドを設ける構成としても構わない。このとき、どちらの構成においても、スライドガイドの数量は、複数個であっても良い。
【００５５】
実施の形態１に係る監視カメラは、嵌合凹部１ｄとスライドガイド１ｇと位置決め部１ｎ、嵌合凹部１ｅと位置決め部１ｐ、嵌合凹部１ｆと位置決め部１ｐ、固定用通し孔１ｈと仮固定用リブ１ｍ、及び、固定用埋め込みナット２ｈと仮固定用リブ２ｍの各組みを、一体形成しているが、別体としても構わない。
【００５６】
実施の形態１に係る監視カメラは、カバー１及び本体ケース２における開口縁部の形状を円形としているが、長円形及び楕円形等であっても構わない。
【００５７】
実施の形態１に係る監視カメラは、スライド防止手段として、固定用通し孔１ｈ、固定用埋め込みナット２ｈ、及び、ねじ４を備えているが、そのスライド防止手段は、例えば、フック、スナップフィット、及び、鍵等であっても構わない。
【００５８】
実施の形態１に係る監視カメラは、カバー１を前方側から後方側に向けてスライドさせる構成としているが、そのスライド方向は、どの方向であっても構わない。
【００５９】
以上より、実施の形態１に係る監視カメラは、本体ケース２の開口縁部における後ろ側半円部分に配置される外壁２ａと、本体ケース２の開口縁部における前側半円部分で、且つ、外壁２ａよりも本体ケース２の内側に配置される目隠しリブ２ｂと、カバー１の開口縁部における前側半円部分に配置される外壁１ａと、カバー１の開口縁部における後ろ側半円部分で、且つ、外壁１ａよりもカバー１の内側に配置される目隠しリブ１ｂとを備えている。そして、外壁１ａは、カバー１の前方側から後方側へのスライドに伴って、目隠しリブ２ｂに対して前方側から嵌合し、目隠しリブ１ｂは、カバー１の前方側から後方側へのスライドに伴って、外壁２ａに対して前方側から嵌合する。これにより、監視カメラは、スライド構造を用いて、カバー１を本体ケース２に取り付けることができる。
【００６０】
また、監視カメラは、スライド構造を用いて、カバー１を本体ケース２に取り付けることができるため、ヒンジ構造を用いた場合と比べて、カバー１の小型化を図ることができる。これにより、監視カメラは、製造コストを削減することができると共に、設置空間の省スペース化を図ることができるだけでなく、メンテナンス作業時に必要なスペースを抑制することができる。更に、監視カメラは、カバー１の小型化を図ることができるので、導光部１ｑとカメラユニット３との間の距離を短くすることができる。これにより、監視カメラは、導光部１ｑを小さくしても、カメラユニット３の必要な視野を確保することができる。
【００６１】
実施の形態１に係る監視カメラは、外壁２ａと目隠しリブ２ｂとの間に形成される切欠き２ｃと、外壁１ａと目隠しリブ１ｂとを接続する接続部１ｃとを備えている。そして、接続部１ｃは、切欠き２ｃ内に挿入され、カバー１のスライドに伴って、当該切欠き２ｃ内を前方側から後方側に向けてスライドする。これにより、カバー１と本体ケース２との間における左右両側部同士の干渉を防止することができる。
【００６２】
実施の形態１に係る監視カメラは、カバー１のスライド方向を規定するスライド方向規定手段として、スライドガイド１ｇ及びスライドガイド用リブ２ｇを備えている。これにより、監視カメラは、カバー１をスムーズにスライドさせることができる。
【００６３】
実施の形態１に係る監視カメラは、カバー１における左右方向の位置ずれを規制する位置ずれ規制手段として、位置決め部１ｎ，１ｐ及び位置決め用リブ２ｎ，２ｐを備えている。これにより、監視カメラは、カバー１のスライド時において、当該カバー１における左右方向の位置ずれを規制することができる。
【００６４】
実施の形態１に係る監視カメラは、カバー１のスライドを防止するスライド防止手段として、固定用通し孔１ｈ、固定用埋め込みナット２ｈ、及び、ねじ４を備えている。これにより、監視カメラは、カバー１が本体ケース２に嵌合したときに、当該カバー１のスライドを防止することができる。
【００６５】
実施の形態２．
実施の形態２に係る監視カメラについて、図８及び図９を用いて説明する。図８は、実施の形態２に係る監視カメラにおける本体ケースの部分斜視図である。図９は、実施の形態２に係る監視カメラにおける本体ケースの開口縁部とカバーの開口縁部との間の嵌合構造を示した横断面図である。
【００６６】
実施の形態２に係る監視カメラは、実施の形態１に係る監視カメラの構成に、リブ２ｋを追加した構成となっている。リブ２ｋは、切欠き２ｃ内における内側に設けられており、目隠しリブ２ｂと接続している。これにより、リブ２ｋは、カバー１と本体ケース２との密閉度を向上させることができるので、監視カメラ内への異物及び光の進入を抑制することができる。
【００６７】
以上より、実施の形態２に係る監視カメラは、切欠き２ｃ内における内側に配置されるリブ２ｋを備えている。これにより、監視カメラは、監視時において、内部への異物及び光の進入を抑制することができる。
【００６８】
なお、本願発明は、その発明の範囲内において、各実施の形態の自由な組み合わせ、あるいは、各実施の形態における任意の構成要素の変形、もしくは、各実施の形態における任意の構成要素の省略が可能である。
【符号の説明】
【００６９】
１  カバー、１ａ  外壁、１ｂ  目隠しリブ、１ｃ  接続部、１ｄ，１ｅ，１ｆ  嵌合凹部、１ｇ  スライドガイド、１ｈ  固定用通し孔、１ｉ  組み合わせ位置表示用突起、１ｊ  スライド位置表示用突起、１ｍ  仮固定用リブ、１ｎ  位置決め部、１ｐ  位置決め部、１ｑ  導光部、２  本体ケース、２ａ  外壁、２ｂ  目隠しリブ、２ｃ  切欠き、２ｄ，２ｅ，２ｆ  嵌合突起、２ｇ  スライドガイド用リブ、２ｈ  固定用埋め込みナット、２ｉ  嵌合位置表示用突起、２ｋ  リブ、２ｍ  仮固定用リブ、２ｎ  位置決め用リブ、２ｐ  位置決め用リブ、３  カメラユニット、４  ねじ。
【図１】
2020085922.tif 000003
【図２】
2020085922.tif 000004
【図３】
2020085922.tif 000005
【図４】
2020085922.tif 000006
【図５】
2020085922.tif 000007
【図６】
2020085922.tif 000008
【図７】
2020085922.tif 000009
【図８】
2020085922.tif 000010
【図９】
2020085922.tif 000011